(57)【要約】      （修正有）【課題】レモン等の小型柑橘類から果汁を搾取する合成樹脂製の絞り具において、厚く切り分けた小型柑橘類であっても果汁、果肉が飛び散ることが無く効率よく果汁を採取できる果汁搾り具を提供する。【解決手段】大半円盤と小半円盤がそれぞれの直線部分を薄肉部を介して連結されており、輪切りなどにしたレモン等の小型柑橘類５をはさむように薄肉部を軸として回動する構造を有する。二枚の半円盤がそれぞれ異なる径である構造を有することにより、大小の径を持つ半円盤同士が重なり合った時の隙間から皮部を回避させることが出来る為、切り分ける厚みに左右されず、果肉部のみを押しつぶすことが出来る効果がある。【選択図】図２
0003144508.tif 000002
【実用新案登録請求の範囲】
【請求項１】
薄肉部により連結され回動可能にした合成樹脂製の二枚の半円盤構造を有する、輪切りなどにしたレモン等の小型柑橘類から果汁を搾取する絞り具であって、二枚の半円盤がそれぞれ異なる径である搾り具。
【請求項２】
請求項１に記載の絞り具において異なる径の二枚の半円盤の内、径が大きい半円盤の外周に回動内側に向けて盤体と垂直の外壁を設けてある搾り具。
【請求項３】
請求項１または請求項２の絞り具において、異なる径の二枚の半円盤の内、径が大きい半円盤の外周の中央付近に円弧外側に向けて突起部を設けてある搾り具。
【請求項４】
請求項１乃至３のいずれかに記載の絞り具において、薄肉部の幅を３ｍｍ以上にした搾り具。
【考案の詳細な説明】
【技術分野】
【０００１】  本考案は、輪切りなどにしたレモン等の小型柑橘類から果汁を搾取する絞り具に関する。
【背景技術】
【０００２】  予め、輪切りなどにしたレモン等の小型柑橘類から果汁を搾取する際の搾り具として、例えば実開昭５９−１３３１２２の如く、受け部材と押え部材が枢軸を介して回動可能にした構造を有するものは知られている。【０００３】  また、実開昭６２−１７７４２４の如く薄肉部により連結され回動可能にした樹脂製の二枚の半円盤構造を有するものが開示されている。
【考案の開示】
【考案が解決しようとする課題】
【０００４】  しかし、実開昭５９−１３３１２２で開示されている搾り具は、受け部材と押え部材と枢軸との少なくとも３つの部材から構成され、且つ、梃子の原理により支点の枢軸部分に大きい力が加わる為、部材を金属にする必要があり材料費、組立工費などコスト高になるいう欠点があった。【０００５】  一方、実開昭６２−１７７４２４で開示されている搾り具は、樹脂で一体成形されており、製造コスト低減を目的としている。【０００６】  しかし、半円状の盤体２枚で輪切りにした被搾取体をはさむため、果肉部分と皮部分を同時に押圧し、その結果、皮部の収納部を設けているものの、厚く切り分けた小型柑橘類の場合は収納しきれず、硬い皮部分が邪魔になり果肉部分を十分に押しつぶすことが出来ない欠点があった。【０００７】  また、半円状の盤体２枚で輪切りにした小型柑橘類をはさむため、押しつぶす過程で果肉より搾り出された果汁が二枚の盤体の間から飛び散るという欠点があった。
【課題を解決するための手段】
【０００８】  そこで、本考案は、薄肉部により連結され回動可能にした樹脂製の二枚の半円盤構造を有する輪切りなどにしたレモン等の小型柑橘類から果汁を搾取する搾り具であって、二枚の半円盤がそれぞれ異なる径である搾り具を提供しようとするものである。【０００９】  また、本考案は、請求項２に記載のように、請求項１に記載の搾り具において異なる径の二枚の半円盤の内、径が大きい半円盤の外周に回動内側に向けて盤体と垂直の外壁を設けてある搾り具を提供しようとするものである。【００１０】  また、本考案は、請求項３に記載のように請求項１または請求項２の搾り具において、異なる径の二枚の半円盤の内、径が大きい半円盤の外周の中央付近に円弧外側に向けて突起部を設けてある搾り具を提供しようとするものである。【００１１】  また、本考案は、請求項１乃至３のいずれかに記載の搾り具において、薄肉部の幅を３ｍｍ以上にした搾り具を提供しようとするものである。
【考案の効果】
【００１２】  本考案に係る搾り具によれば、薄肉部により連結され回動可能にした樹脂製の二枚の半円盤構造を有する輪切りなどにしたレモン等の小型柑橘類から果汁を搾取する搾り具であって、二枚の半円盤がそれぞれ異なる径である構造を有することにより、大小の径を持つ半円盤同士が重なり合った時の隙間から皮部を回避させることが出来る為、切り分ける厚みに左右されず、果肉部のみを押しつぶすことが出来る効果がある。【００１３】  また、本考案は、請求項２に記載のように、請求項１に記載の搾り具において異なる径の二枚の半円盤の内、径が大きい半円盤の外周に回動内側に向けて盤体と垂直の外壁を設けてある構造を有することにより、半円状の盤体２枚で輪切りにした小型柑橘類を押しつぶす際、果肉より搾り出された果汁が二枚の盤体の間から飛び散ることを防止し、且つ輪切りにした小型柑橘類の飛び出し防止の効果がある。【００１４】  さらに、上述の効果とあいまって果肉部より搾り出した果汁を効率よく集め、薄肉部の端部より滴下することが出来る効果がある。【００１５】  また、本考案は、請求項３に記載のように請求項１または請求項２の搾り具において、異なる径の二枚の半円盤の内、径が大きい半円盤の外周の中央付近に円弧外側に向けて突起部を設けてある構造を有することにより、使用方法により外周の中央付近に果汁を集め突起より滴下することが出来る効果がある。【００１６】  なお、突起の裾へ指をかけることにより、使用時に搾り具自体を強固に保持できる効果がある。【００１７】  また、本考案は、請求項１乃至３のいずれかに記載の搾り具において、薄肉部の幅を３ｍｍ以上にした構造を有することにより、厚く切り分けた小型柑橘類の場合や、多少変則的に切り分けられた小型柑橘類の場合でも効率よく押しつぶすことが出来る効果がある。
【考案を実施するための最良の形態】
【００１８】  図に記載の実施例により本考案を説明する。【００１９】  図１において、大半円盤（１）と小半円盤（２）がそれぞれの直線部分（４）を薄肉部（３）を介して連結されており、図２の如く予め、輪切りなどにしたレモン等の小型柑橘類（５）をはさむように薄肉部（３）を軸として回動する構造を有する。【００２０】  本考案における搾り具は合成樹脂の射出成形法により製造される。【００２１】  このような構造を有することにより小型柑橘類（５）を大半円盤（１）と小円盤（２）の間にはさみ小型柑橘類（５）を押し潰すと大半円盤（１）が小型柑橘類（５）全体を覆い小半円盤（２）が小型柑橘類（５）の果肉部（５ａ）のみを押しつぶし、皮部（５ｂ）は大半円盤（１）と小半円盤（２）が重なり合った時の隙間（９）に回避されるため、小型柑橘類（５）が厚く切り分けられた場合でも皮部（５ｂ）に影響されること無く果肉部（５ａ）のみを押しつぶすことが出来る。【００２２】  果肉押しつぶし用突起（６ａ）（６ｂ）を図４断面図の如く、大半円盤（１）と小半円盤（２）の上面にそれぞれ押しつぶし完了時に互いに噛み合う様に設ければ、果肉から果汁を効率よく搾り出す効果と、押しつぶしの際、小型柑橘類（５）が滑らない効果もある。【００２３】  また、本考案の搾り具において、大半円盤（１）の外周に回動内側に向けて盤体と垂直の外壁（７）を設けてある構造を有することにより、小型柑橘類（５）を大半円盤（１）と小半円盤（２）で押しつぶす過程において大半円盤（１）と小半円盤（２）の間から果汁が飛び散ることを防止する効果がある。【００２４】  さらに、小型柑橘類（５）の飛び出し防止の効果がある。【００２５】  それとあいまって図５の如く果肉部（５ａ）より搾り出した果汁を効率よく集め、薄肉部（３）の端部（３ａ）より滴下することが出来る。【００２６】  また、本考案の搾り具において、大半円盤（１）とそれに接した外壁（７）の中央付近に円弧外側に向けて突起部（８）を設けてある構造を有することにより、使用方法により図６の如く、外周の中央付近に果汁を集め突起部（８）より滴下することが出来る。【００２７】  なお、使用方法により図６の如く、突起（８）の裾へ指をかけることにで使用時に搾り具自体を強固に保持できる効果がある。【００２８】  このとき、大半円盤（１）と小半円盤（２）の回動方向外側表面にシボ加工を施すことが望ましい。【００２９】  また、本考案の搾り器において、薄肉部（３）の幅を３ｍｍ以上にした構造を有することにより、小型柑橘類（５）が厚く切り分けた場合や、多少変則的に切り分けられた場合でも図７の如く、不具合無く大半円盤（１）と小半円盤（２）にはさむことが出来る。
【図面の簡単な説明】
【００３０】
【図１】  本考案小型柑橘類果汁搾り具の一実施例の上面図
【図２】  本考案小型柑橘類果汁搾り具の使用態様を示す一実施例の斜視図
【図３】  本考案小型柑橘類果汁搾り具の使用態様を示す一実施例の上面図
【図４】  本考案小型柑橘類果汁搾り具の一実施例の上面図および断面図
【図５】  本考案小型柑橘類果汁搾り具の一使用態様を示す上面図
【図６】  本考案小型柑橘類果汁搾り具の他の使用態様を示す上面図
【図７】  本考案小型柑橘類果汁搾り具の使用態様を示す一実施例の正面図
【図８】  従来技術の一実施例の斜視図
【図９】  従来技術の他の実施例の正面図
【符号の説明】
【００３１】１      大半円盤
２      小半円盤
３      薄肉部
３ａ    端部
４      直線部分
５      小型柑橘類
５ａ    果肉部
５ｂ    皮部
６ａｂ  果肉押しつぶし用突起
７      外壁
８      突起部
９      隙間
【図１】
0003144508.tif 000003
【図２】
0003144508.tif 000004
【図３】
0003144508.tif 000005
【図４】
0003144508.tif 000006
【図５】
0003144508.tif 000007
【図６】
0003144508.tif 000008
【図７】
0003144508.tif 000009
【図８】
0003144508.tif 000010
【図９】
0003144508.tif 000011